(57)【要約】【課題】  電磁ノイズの放出を抑制する。【解決手段】  表示器７０は、画像を表示する表示パネル７１と、表示パネル７１を収納する筺体７２とを有する。回路基板８０は、表示パネル７１を駆動する表示制御部８２を搭載する。シールドケース９０は、表示制御部８２を覆うと共に回路基板８０に当接する。接続部材５０は、筺体７２と回路基板８０とを電気的に接続する。ハウジング３０には、表示器７０の筺体７２が固定される。ハウジング３０は、回路基板８０を支持する支持部３６を有する。【選択図】  図１
2017016042.tif 000002
【特許請求の範囲】
【請求項１】
画像を表示する表示パネル及び前記表示パネルを収納する筺体を有する表示器と、前記表示パネルを駆動する表示制御部を搭載した回路基板と、前記表示制御部を覆うと共に前記回路基板に当接するシールドケースと、前記筺体と前記回路基板とを電気的に接続する接続部材と、を備えたことを特徴とする表示装置。
【請求項２】
文字盤と、前記文字盤を指示する指針と、前記指針を回動させる指針駆動部と、前記指針駆動部を搭載した第二の回路基板と、を更に備えたことを特徴とする請求項１に記載の表示装置。
【請求項３】
前記回路基板と前記第二の回路基板とを電気的に接続するコネクタ部材を更に備えたことを特徴とする請求項２に記載の表示装置。
【請求項４】
前記筺体が固定されるハウジングを更に備えたことを特徴とする請求項１に記載の表示装置。
【請求項５】
前記ハウジングは、前記回路基板を支持する支持部を有することを特徴とする請求項４に記載の表示装置。
【発明の詳細な説明】
【技術分野】
【０００１】
本発明は、電磁ノイズを遮蔽するシールドケースを備えた表示装置に関するものである。
【背景技術】
【０００２】
従来より、電磁ノイズを遮蔽するシールドケースを備えた表示装置が種々提案されており、例えば特許文献１に開示されている。斯かる表示装置は、回路基板に搭載された制御部をシールドケースで覆うことにより、電磁ノイズの放出を抑制するものである。
【先行技術文献】
【特許文献】
【０００３】
【特許文献１】特開２０１０−２１０２５５号公報
【発明の概要】
【発明が解決しようとする課題】
【０００４】
しかしながら、表示装置から若干ではあるが電磁ノイズが放出される虞があるため、更なる対策が求められている。
本発明は、電磁ノイズの放出を更に抑制することを目的とするものである。
【課題を解決するための手段】
【０００５】
本発明は、画像を表示する表示パネル７１及び前記表示パネル７１を収納する筺体７２を有する表示器７０と、前記表示パネル７１を駆動する表示制御部８２を搭載した回路基板８０と、前記表示制御部８２を覆うと共に前記回路基板８０に当接するシールドケース９０と、前記筺体７２と回路基板８０とを電気的に接続する接続部材５０と、を備えたものである。
【０００６】
また、本発明は、文字盤４０と、前記文字盤４０を指示する指針１０と、前記指針１０を回動させる指針駆動部２２と、前記指針駆動部２２を搭載した第二の回路基板２０と、を更に備えたものである。
【０００７】
また、本発明は、前記回路基板８０と前記第二の回路基板２０とを電気的に接続するコネクタ部材２６，８１を更に備えたものである。
【０００８】
また、本発明は、前記筺体７２が固定されるハウジング３０を更に備えたものである。
【０００９】
また、本発明は、前記ハウジング３０は、前記回路基板８０を支持する支持部３６を有するものである。
【発明の効果】
【００１０】
表示制御部を搭載した回路基板と、表示器の筺体とを接続部材にて電気的に接続したことによって、電磁ノイズの放出を抑制できる。
【図面の簡単な説明】
【００１１】
【図１】本発明の実施形態を示す要部拡大断面図。
【図２】同上実施形態を示す正面図。
【図３】同上実施形態を示す要部断面図。
【発明を実施するための形態】
【００１２】
以下、添付図面に基づいて、本発明の一実施形態を説明する。車両用表示装置は、指針１０と、回路基板２０と、ハウジング３０と、文字盤４０と、接続部材５０と、後面カバー６０と、液晶表示器７０と、回路基板８０と、シールドケース９０とを備えている。
【００１３】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。指針１０のボス部１３及び指針座１４は、白色樹脂にて一体形成されている。
【００１４】
回路基板２０は、ガラスエポキシ樹脂からなる基材に銅箔からなる配線パターンを形成したものであり、回路基板２０には、液晶表示器７０及び指針駆動部２２を制御するマイコン２７等の各種電子部品が実装されている。回路基板２０は、基板本体２１と、基板本体２１の後面側に実装された指針駆動部２２と、基板本体２１の表面側に実装された発光素子２４，２５と、コネクタ部材２６とを備えており、文字盤４０の後側に配置されている。回路基板２０の基板本体２１には、ハウジング３０の支持部３６が貫通する貫通孔２１ｂが形成されている。回路基板２０のコネクタ部材２６は、回路基板８０のコネクタ部材８１に接続される。
【００１５】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、文字盤４０に形成された貫通孔４０ｃに挿入される。文字盤４０の貫通孔４０ｃは、指針駆動部２２の回動軸２２ａに対応する個所に形成されており、正面視で円形状になっている。
【００１６】
発光素子２４，２５は、夫々、１個以上の発光ダイオード等によって構成される。発光素子２４は、文字盤４０を透過照明する。発光素子２５は、指針１０の指示部１１を光輝させる。発光素子２４，２５は、マイコン２７から供給される制御信号に基づいて駆動され、車両運転者によって操作されるイルミネーションスイッチ等に応じてオン／オフされる。
【００１７】
ハウジング３０は白色の合成樹脂（例えば、ポリプロピレン）からなり、このハウジング３０に回路基板２０が固定されている。ハウジング３０は、垂直部３１，傾斜部３２，平行部３３，傾斜部３４，垂直部３５を有している。ハウジング３０の垂直部３１は、円筒形状になっており、前端が文字盤４０の後面に当接し、後端が回路基板２０の前面に当接している。ハウジング３０の垂直部３１は、発光素子２４が発する照明光と、発光素子２５が発する照明光とが混合されることを防ぐ遮光壁になっている。
【００１８】
ハウジング３０の傾斜部３２は、垂直部３１の外周面から逆円錐状に広がる形状になっている。ハウジング３０の傾斜部３２は、発光素子２４が発した照明光を平行部３３，傾斜部３４に向けて反射させる。ハウジング３０の平行部３３は、文字盤４０と平行な平板形状になっている。ハウジング３０の傾斜部３４は、逆円錐状になっており、平行部３３の外周端に連なっている。ハウジング３０の傾斜部３４は、発光素子２４が発した照明光を文字盤４０に向けて反射させる。ハウジング３０の垂直部３５は、円筒形状になっており、後端が回路基板２０の前面に当接している。ハウジング３０の垂直部３５は、傾斜部３４の外周端に連なっている。ハウジング３０の垂直部３５は、前端が文字盤４０の後面に当接し、後端が回路基板２０の前面に当接している。
【００１９】
ハウジング３０は、液晶表示器７０の筺体７２が固定される底壁３７を有しており、この底壁３７の後面には、円柱形状の支持部３６が形成されている。ハウジング３０の支持部３６には、回路基板８０がビス１０１によって固定されている。
【００２０】
文字盤４０は指標部４１を有しており、この指標部４１は、貫通孔４０ｃを中心とした円弧状に配置されている。文字盤４０の指標部４１は、発光素子２４が発した照明光によって透過照明される。文字盤４０の中央には、液晶表示器７０の画像を視認する矩形の窓部４０ｄが形成されている。
【００２１】
液晶表示器７０は、２個の指針式計器（速度計及び回転計）の間に配置されている。液晶表示器７０は、画像を表示する液晶表示パネル７１と、この液晶表示パネル７１を透過照明するバックライトと、液晶表示パネル７１及びバックライトを収納する金属製の筺体７２とを有している。液晶表示器７０の筺体７２は支持部７２ａを有しており、この支持部７２ａで液晶表示器７０がハウジングの底壁３７に固定されている。
【００２２】
液晶表示パネル７１は、透明電極が形成された一対のガラス基板に液晶を封入した液晶セルの前後両面に偏光板を貼着したものである。液晶表示パネル７１は、表示制御部８２によって表示制御され、液晶表示パネル７１には、積算走行距離等の車両情報が画像で表示される。液晶表示器７０は、図示しない可撓性配線部材により、回路基板８０と電気的に接続されている。
【００２３】
回路基板８０は、ビス１０１によってハウジング３０の支持部３６に固定されている。回路基板８０は、コネクタ部材８１，２６にて回路基板２０に接続されている。回路基板８０には、表示制御部８２が搭載されている。表示制御部８２は、画像処理を行う集積回路であり、ＧＤＣ（Graphics Display Controller）またはＧＰＵ（Graphics Processing Unit）と称されることもある。回路基板８０に搭載された表示制御部８２は、シールドケース９０に覆われている。
【００２４】
シールドケース９０は、金属板をプレス成形したものであり、フランジ部９１と、遮蔽部９２とを有している。シールドケース９０のフランジ部９１は、回路基板８０のグランドパターンに当接している。シールドケース９０の遮蔽部９２は、表示制御部８２を覆い、表示制御部８２が発する電磁ノイズを遮蔽する。シールドケース９０は、ビス１０１によって回路基板８０に固定されている。
【００２５】
接続部材５０は、金属板等の導電性材料をプレス成形したものであり、固定部５１と、固定部５２と、連結部５３とを有している。接続部材５０の固定部５１は、回路基板８０のグランドパターンに当接しており、ビス１０１によって支持部３６に固定される。接続部材５０の固定部５２は、ビス１０２によってハウジング３０の底壁３７に固定される。接続部材５０の連結部５３は、固定部５１と固定部５２とを連結している。
【００２６】
ビス１０１は、シールドケース９０，回路基板８０及び接続部材５０を貫通して、支持部３６に螺着される。回路基板８０は、シールドケース９０と接続部材５０とに挟まれている。ビス１０２は、接続部材５０の固定部５２を貫通して、底壁３７に螺着される。また、ビス１０２は、液晶表示器７０の支持部７２ａに螺着され、液晶表示器７０をハウジング３０の底壁３７に固定する。液晶表示器７０の筺体７２と、接続部材５０とはビス１０２によって電気的に接続される。
【００２７】
本実施形態によれば、回路基板８０と、液晶表示器７０の筺体７２とが、ビス１０２を介して、電気的に接続されているため、車両用表示装置が放出する電磁ノイズを抑制することができる。なお、本発明は、本実施形態に限定されるものではなく、種々の変形が可能である。例えば、表示パネルは、有機ＥＬ表示パネルであっても良い。
【符号の説明】
【００２８】
１０  指針
２０  回路基板（第二の回路基板）
２２  指針駆動部
２４  発光素子
２５  発光素子
２６  コネクタ部材
３０  ハウジング
４０  文字盤
４１  指標部
５０  接続部材
７０  液晶表示器（表示器）
７１  液晶表示パネル（表示パネル）
７２  筺体
８０  回路基板
８１  コネクタ部材
９０  シールドケース
【図１】
2017016042.tif 000003
【図２】
2017016042.tif 000004
【図３】
2017016042.tif 000005